(57)【要約】【課題】長い寸法の調整が可能であり、多様な離間距離の導体間の接続に対応することができる寸法調整接続構造を提供する。【解決手段】離間して設けられるバスダクト導体１１０ａ、１１０ｂ間の間隔に合わせて寸法を調整可能であり、導体１１０ａ、１１０ｂ相互を電気的に接続する寸法調整接続構造であって、導体１１０ａ、１１０ｂ相互の接続方向を長手方向として、一方の導体１１０ａと接続される細長状の接続導体２０と、導体１１０ａ、１１０ｂ相互の接続方向を長手方向として、他方の導体１１０ｂと接続される細長状の別の接続導体３０とを備え、接続導体２０と別の接続導体３０との重なり量を導体１１０ａ、１１０ｂ間の間隔に合わせて調整し、接続導体２０と別の接続導体３０を重ねて接触することにより電気的に接続する。【選択図】図１
2010252565.tif 000002
【特許請求の範囲】
【請求項１】
離間して設けられる導体間の間隔に合わせて寸法を調整可能であり、前記導体相互を電気的に接続する寸法調整接続構造であって、
前記導体相互の接続方向を長手方向として、一方の導体と接続される細長状の接続導体と、
前記導体相互の接続方向を長手方向として、他方の導体と接続される細長状の別の接続導体とを備え、
前記接続導体と前記別の接続導体との重なり量を前記導体間の間隔に合わせて調整し、
前記接続導体と前記別の接続導体を重ねて接触することにより電気的に接続することを特徴とする寸法調整接続構造。
【請求項２】
前記接続導体若しくは前記別の接続導体に移動規制部を突出して設け、
前記別の接続導体若しくは前記接続導体に長手方向に延びる長孔を形成し、
前記移動規制部と前記長孔との当接により、前記接続導体と前記別の接続導体との重なりの調整可能量を規制することを特徴とする請求項１記載の寸法調整接続構造。
【請求項３】
前記一方の導体と前記接続導体に導電性接続部材を沿わせて締め付け、前記一方の導体と前記接続導体を電気的に接続する第１の接続部と、
前記他方の導体と前記別の接続導体に導電性接続部材を沿わせて締め付け、前記他方の導体と前記別の接続導体を電気的に接続する第２の接続部と、
重なり合う前記接続導体と前記別の接続導体とを締め付け、前記接続導体と前記別の接続導体との接続を確保する第３の接続部とを備えることを特徴とする請求項１又は２記載の寸法調整接続構造。
【請求項４】
前記第２の接続部と前記第３の接続部との間の少なくとも一部を被覆する継ぎ板を設け、
前記継ぎ板を前記第２の接続部及び前記第３の接続部と非固定状態とすることを特徴とする請求項３記載の寸法調整接続構造。
【請求項５】
離間して設けられる導体間の間隔に合わせて寸法を調整可能であり、前記導体相互を電気的に接続する寸法調整接続構造であって、
前記導体相互の接続方向を長手方向として、一方の導体と接続される細長状の接続導体と、
前記導体相互の接続方向を長手方向として、細長状に形成されている他方の導体の端部とを備え、
前記接続導体と前記他方の導体端部との重なり量を前記導体間の間隔に合わせて調整し、
前記接続導体と前記他方の導体端部を重ねて接触することにより電気的に接続することを特徴とする寸法調整接続構造。
【請求項６】
前記一方の導体と前記接続導体に導電性接続部材を沿わせて締め付け、前記一方の導体と前記接続導体を電気的に接続する第４の接続部と、
重なり合う前記他方の導体端部と前記接続導体とを締め付け、前記他方の導体と前記接続導体との接続を確保する第５の接続部とを備えることを特徴とする請求項５記載の寸法調整接続構造。
【請求項７】
前記接続導体の前記重なり可能部分を、細長板状の前記別の接続導体若しくは前記他方の導体端部の厚さ方向両側に配置する細長板状とし、
前記接続導体の細長板状部分で前記別の接続導体若しくは前記他方の導体端部を前記厚さ方向両側から挟持するようにして、前記接続導体と前記別の接続導体若しくは前記他方の導体端部とを電気的に接続することを特徴とする請求項１〜６の何れかに記載の寸法調整接続構造。
【発明の詳細な説明】
【技術分野】
【０００１】
本発明は、バスダクトの導体など離間して設けられる導体間の間隔に合わせて寸法を調整可能であり、導体相互を電気的に接続する寸法調整接続構造に関する。
【背景技術】
【０００２】
従来、バスダクト幹線路において、バスダクトの寸法誤差等により寸法が合わない箇所が生じた場合には、その寸法に合わせたバスダクトを別途製造して最後に接続作業を行っていた。また、接続するバスダクト相互において、一方側のバスダクトの導体に接続ボルト挿通用の丸穴を形成し、他方側のバスダクトの導体に接続ボルト挿通用の長穴を形成し、長穴の長さだけ他方側のバスダクトが摺動するようにして寸法を調整し、接続する技術が提案されている（特許文献１参照）。
【０００３】
しかし、これらは何れも非常に特殊な仕様のバスダクトが要求されるため、大変高コストとなると共に、接続作業を重量の大きいバスダクト相互で行う必要があるため施工性に劣り、実際に使用することは困難であった。そのため、離間して設けられるバスダクトの導体間の間隔に合わせて寸法を調整可能であり、導体相互を電気的に接続する寸法調整接続ユニットが特許文献２で提案されている。特許文献２の寸法調整接続ユニットは、バスダクトの導体に接触する導電性接続部材を有し且つ外側に接続側板が設けられている２つの接続体を、接続側板の長穴を介して連結方向に位置調整可能に連結し、一方の接続体の導電性接続部材と他方の接続体の導電性接続部材間に接触する一枚の接続導体を設け、接続導体の端縁に形成した略Ｃ字形の切欠凹部内で導電性接続部材のピンを移動可能にして寸法調整可能に構成したものである。
【先行技術文献】
【特許文献】
【０００４】
【特許文献１】実開昭６２−４４６２５公報
【特許文献２】特開２００３−１５８８１２公報
【発明の概要】
【発明が解決しようとする課題】
【０００５】
ところが、特許文献２の寸法調整接続ユニットは、一枚の接続導体の端縁に形成した略Ｃ字形の切欠凹部内を導電性接続部材のピンが移動可能な範囲において寸法調整を行うものであるため、調整可能な寸法が短く、施工現場で使用できない場合があった。そのため、調整可能な寸法が長い寸法調整接続構造が求められている。
【０００６】
本発明は上記課題に鑑み提案するものであり、長い寸法の調整が可能であり、多様な離間距離の導体間の接続に対応することができる寸法調整接続構造等を提供することを目的とする。
【課題を解決するための手段】
【０００７】
本発明の寸法調整接続構造は、離間して設けられる導体間の間隔に合わせて寸法を調整可能であり、前記導体相互を電気的に接続する寸法調整接続構造であって、前記導体相互の接続方向を長手方向として、一方の導体と接続される細長状の接続導体と、前記導体相互の接続方向を長手方向として、他方の導体と接続される細長状の別の接続導体とを備え、前記接続導体と前記別の接続導体との重なり量を前記導体間の間隔に合わせて調整し、前記接続導体と前記別の接続導体を重ねて接触することにより電気的に接続することを特徴とする。また、本発明の寸法調整接続構造は、離間して設けられる導体間の間隔に合わせて寸法を調整可能であり、前記導体相互を電気的に接続する寸法調整接続構造であって、一方の導体と電気的に接続され、前記一方の導体側に設けられる接続導体と、他方の導体と予め略定められた寸法で電気的に接続され、前記他方の導体側に設けられる別の接続導体とを備え、前記接続導体が前記別の接続導体と重なり合って前記別の接続導体の寸法を吸収可能であり、前記接続導体で前記別の接続導体の寸法を吸収して寸法調整しながら、前記接続導体と前記別の接続導体を電気的に接続することを特徴とする。
【０００８】
また、本発明の寸法調整接続構造は、前記接続導体若しくは前記別の接続導体に移動規制部を突出して設け、前記別の接続導体若しくは前記接続導体に長手方向に延びる長孔を形成し、前記移動規制部と前記長孔との当接により、前記接続導体と前記別の接続導体との重なりの調整可能量を規制することを特徴とする。また、本発明の寸法調整接続構造は、前記接続導体若しくは前記別の接続導体に長手方向に延びる長孔を形成し、前記移動規制部と前記長孔との当接により、幅方向に外れない等、前記別の接続導体の移動方向を規制することを特徴とする。
【０００９】
また、本発明の寸法調整接続構造は、前記一方の導体と前記接続導体に導電性接続部材を沿わせて締め付け、前記一方の導体と前記接続導体を電気的に接続する第１の接続部と、前記他方の導体と前記別の接続導体に導電性接続部材を沿わせて締め付け、前記他方の導体と前記別の接続導体を電気的に接続する第２の接続部と、重なり合う前記接続導体と前記別の接続導体とを締め付け、前記接続導体と前記別の接続導体との接続を確保する第３の接続部とを備えることを特徴とする。また、本発明の寸法調整接続構造は、前記一方の導体と前記接続導体を電気的に接続する第１の接続部と、前記他方の導体と前記別の接続導体を電気的に接続する第２の接続部と、前記接続導体と前記別の接続導体との接続を確保する第３の接続部の内、何れか一つ又は何れか２つ又は３つの何れをも備えることを特徴とする。また、本発明の寸法調整接続構造は、第１の接続部と第３の接続部との間を寸法調整不能な固定部分とし、又、第２の接続部と第３の接続部との間を寸法調整可能な調整部分とすることを特徴とする。
【００１０】
また、第１、第３の接続部と、移動規制部及び長孔を有する構成においては、移動規制部を第３の接続部の締着具よりも第１の接続部側に位置して設け、別の接続導体が当接する接続導体の部分を、長孔の接続導体と反対側の端縁が第３の接続部の締着具に当接しない収縮量に規制可能な位置に設けると、長孔の第３の接続部の締着具に対する当接とその衝撃を防止することができて好適である。前記別の接続導体が当接する接続導体の部分は、例えば後述する接続導体の接続導体板が密接する状態に至る段部等である。
【００１１】
また、本発明の寸法調整接続構造は、前記第２の接続部と前記第３の接続部との間の少なくとも一部を被覆する継ぎ板を設け、前記継ぎ板を前記第２の接続部及び前記第３の接続部と非固定状態とすることを特徴とする。前記継ぎ板は、接続するバスダクト或いは寸法調整接続構造若しくは寸法調整接続ユニットの厚さ方向両側に設けると好適である。
【００１２】
また、本発明の寸法調整接続構造は、離間して設けられる導体間の間隔に合わせて寸法を調整可能であり、前記導体相互を電気的に接続する寸法調整接続構造であって、前記導体相互の接続方向を長手方向として、一方の導体と接続される細長状の接続導体と、前記導体相互の接続方向を長手方向として、細長状に形成されている他方の導体の端部とを備え、前記接続導体と前記他方の導体端部との重なり量を前記導体間の間隔に合わせて調整し、前記接続導体と前記他方の導体端部を重ねて接触することにより電気的に接続することを特徴とする。
【００１３】
また、本発明の寸法調整接続構造は、前記一方の導体と前記接続導体に導電性接続部材を沿わせて締め付け、前記一方の導体と前記接続導体を電気的に接続する第４の接続部と、重なり合う前記他方の導体端部と前記接続導体とを締め付け、前記他方の導体と前記接続導体との接続を確保する第５の接続部とを備えることを特徴とする。また、本発明の寸法調整接続構造は、離間して設けられる導体間の間隔に合わせて寸法を調整可能であり、前記導体相互を電気的に接続する寸法調整接続構造であって、一方の導体と接続導体を予め略定められた寸法で電気的に接続する第４の接続部と、前記接続導体が他方の導体と重なり合って前記他方の導体の寸法を吸収可能であり、前記接続導体で前記他方の導体の寸法を吸収して寸法調整しながら、前記他方の導体と前記接続導体を電気的に接続する第５の接続部とを備えることを特徴とする。また、本発明の寸法調整接続構造は、前記一方の導体と前記接続導体を電気的に接続する第４の接続部と、前記他方の導体端部と前記接続導体との接続を確保する第５の接続部の内、何れか一つ又は２つの何れをも備えることを特徴とする。
【００１４】
また、本発明の寸法調整接続構造は、前記接続導体に移動規制部を突出して設け、前記他方の導体端部に長手方向に延びる切欠凹部を形成し、前記移動規制部と前記切欠凹部との当接により、幅方向に外れない等、前記他方の導体の移動方向を規制することを特徴とする。
【００１５】
また、本発明の寸法調整接続構造は、前記他方の導体を有する他方のバスダクトと前記第３の接続部との間の少なくとも一部を被覆する継ぎ板を設け、前記継ぎ板を前記第３の接続部及び前記他方のバスダクトと非固定状態とすることを特徴とする。前記継ぎ板は、接続するバスダクト或いは寸法調整接続構造或いは寸法調整接続ユニットの厚さ方向両側に設けると好適である。
【００１６】
また、本発明の寸法調整接続構造は、前記接続導体の前記重なり可能部分を、細長板状の前記別の接続導体若しくは前記他方の導体端部の厚さ方向両側に配置する細長板状とし、前記接続導体の細長板状部分で前記別の接続導体若しくは前記他方の導体端部を前記厚さ方向両側から挟持するようにして、前記接続導体と前記別の接続導体若しくは前記他方の導体端部とを電気的に接続することを特徴とする。また、本発明の寸法調整接続構造は、前記接続導体を、２枚の導体板で１相を構成するものとし、前記別の接続導体を、１枚の平板状の導体板で１相を構成するものとし、前記別の接続導体を前記接続導体の２枚の導体板間に介挿することを特徴とする。
【００１７】
また、本発明の寸法調整接続構造は、離間して設けられる導体間の間隔に合わせて寸法を調整可能であり、前記導体相互を電気的に接続する寸法調整接続構造であって、一方の導体と他方の導体との間隔に合わせて伸縮して寸法を調整可能な寸法調整可能部を有し、前記寸法調整可能部の少なくとも一部を被覆する継ぎ板を設け、前記継ぎ板を前記寸法調整可能部の伸縮に対応可能に前記寸法調整可能部に非固定状態とすることを特徴とする。前記寸法調整可能部は、例えば第２の接続部と第３の接続部の間の箇所、或いは他方のバスダクトと第３の接続部の間の箇所等である。更に、前記継ぎ板には、略中央で内方に突出する中央突出部と、接続方向の両端部近傍で内方に突出する側方突出部を設けると、継ぎ板の接続方向の一方側への片寄りを防止できて好適である。
【００１８】
また、本発明の寸法調整接続構造の組立方法は、離間して設けられる導体間の間隔に合わせて寸法を調整可能であり、前記導体相互を電気的に接続する寸法調整接続構造の組立方法であって、前記導体相互の接続方向を長手方向として、一方の導体と接続される細長状の接続導体と、前記導体相互の接続方向を長手方向として、他方の導体と接続される細長状の別の接続導体との重なり量を前記導体間の間隔に合わせて調整し、前記接続導体と前記別の接続導体を重ねて接触することにより電気的に接続することを特徴とする。
【００１９】
また、本発明の寸法調整接続構造の組立方法は、離間して設けられる導体間の間隔に合わせて寸法を調整可能であり、前記導体相互を電気的に接続する寸法調整接続構造の組立方法であって、前記導体相互の接続方向を長手方向として、一方の導体と接続される細長状の接続導体と、前記導体相互の接続方向を長手方向として、細長状に形成されている他方の導体の端部との重なり量を前記導体間の間隔に合わせて調整し、前記接続導体と前記他方の導体端部を重ねて接触することにより電気的に接続することを特徴とする。
【００２０】
尚、本明細書開示の発明には、各発明や各実施形態の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれる。また、本発明は対向するバスダクトの導体相互を電気的に接続する場合に用いると好適であるが、その他の導体相互を電気的に接続する場合にも用いることが可能である。
【発明の効果】
【００２１】
本発明の寸法調整接続構造等は、細長状の接続導体と細長状の別の接続導体との重なり量を導体間の間隔に合わせて調整して接続する構成等により、長い寸法の調整が可能であり、バスダクト幹線路のルート距離が長い場合でもバスダクトの施工誤差などを容易に吸収することが可能である等、多様な離間距離の導体間の接続に対応することができる。また、例えば寸法に合わせたバスダクトなど個別性の高い特殊な仕様のバスダクトが不用であり、低コストで行えると共に、接続作業を重量の大きいバスダクト相互で行う必要がないため、施工性に優れる。
【００２２】
また、移動規制部と長孔との当接により、接続導体と別の接続導体との重なりの調整可能量を規制することにより、長い寸法の調整を可能としつつ、別の接続導体の伸長時等に接続導体と別の接続導体が外れて、別の接続導体が落下すること等を防止することができる。また、移動規制部と長孔或いは移動規制部と切欠凹部との当接により、別の接続導体或いは他方の導体の移動方向を規制し、位置ずれを防止してスムーズな寸法調整を行うことができる。
【００２３】
また、一方の導体と接続導体を電気的に接続する第１の接続部と、他方の導体と別の接続導体を電気的に接続する第２の接続部と、接続導体と別の接続導体との接続を確保する第３の接続部を設けることにより、一方の導体と接続導体、他方の導体と別の接続導体、接続導体と別の接続導体の確実な電気的接続を介して、一方の導体と他方の導体を確実に電気的に接続することができる。また、これらの接続部により、接続導体と別の接続導体を寸法調整可能な状態で安定して設置することができる。
【００２４】
また、接続部間又は接続部とバスダクト間の少なくとも一部を被覆する継ぎ板を設け、継ぎ板を接続部と非固定状態とすることにより、接続部間又は接続部とバスダクト間の所要領域を被覆して異物の侵入を防ぐことができると共に、伸縮可能な接続部間又は接続部とバスダクト間の伸縮に対応することができる。
【００２５】
また、細長状の接続導体と細長状の他方の導体の端部との重なり量を導体間の間隔に合わせて調整して接続する構成等により、長い寸法の調整が可能であり、バスダクト幹線路のルート距離が長い場合でもバスダクトの施工誤差などを容易に吸収することが可能である等、多様な離間距離の導体間の接続に対応することができる。また、例えば個別的な寸法に合わせたバスダクトなど個別性の高い特殊な仕様のバスダクトが不用であり、低コストで行えると共に、接続作業を重量の大きいバスダクト相互で行う必要がないため、施工性に優れる。
【００２６】
また、一方の導体と接続導体を電気的に接続する第４の接続部と、他方の導体と接続導体との接続を確保する第５の接続部を設けることにより、一方の導体と接続導体、他方の導体と接続導体の確実な電気的接続を介して、一方の導体と他方の導体を確実に電気的に接続することができる。また、これらの接続部により、接続導体や別の導体端部を寸法調整可能な状態で安定して設置することができる。
【００２７】
また、接続導体の重なり可能部分を、細長板状の別の接続導体若しくは他方の導体端部の厚さ方向両側に配置する細長板状とし、接続導体の細長板状部分で別の接続導体若しくは他方の導体端部を厚さ方向両側から挟持するようにして接続することにより、接続導体の両側の導体間を別の接続導体若しくは他方の導体端部が移動或いは摺動し、容易に寸法調整を行うことができると共に、電気的接続をより一層確実に行うことができる。
【図面の簡単な説明】
【００２８】
【図１】（ａ）は第１実施形態の寸法調整接続構造における寸法調整接続ユニットの短寸法状態を示す正面図、（ｂ）はその中寸法状態を示す正面図、（ｃ）はその長寸法状態を示す正面図、（ｄ）はその短寸法状態を示す平面図、（ｅ）はその中寸法状態を示す平面図、（ｆ）はその長寸法状態を示す平面図。
【図２】（ａ）は第１実施形態の寸法調整接続構造における寸法調整接続ユニットの接続部継ぎ板を取外した状態を示す平面図、（ｂ）はその正面図。
【図３】（ａ）は第１実施形態の寸法調整接続構造における寸法調整接続ユニットの短寸法状態の導体の位置を示す断面説明図、（ｂ）はその中寸法状態の導体の位置を示す断面説明図、（ｃ）はその長寸法状態の導体の位置を示す断面説明図。
【図４】（ａ）は第１実施形態の寸法調整接続構造における寸法調整接続ユニットのバスダクトへの取り付け前の状態を示す平面説明図、（ｂ）はその正面説明図。
【図５】（ａ）は第１実施形態の寸法調整接続構造における寸法調整接続ユニットのバスダクトへの取り付け後の状態を示す平面図、（ｂ）はその正面図。
【図６】（ａ）は第２実施形態の寸法調整接続構造における寸法調整接続ユニットのバスダクトへの取り付け前の状態を示す平面説明図、（ｂ）はその正面説明図。
【図７】（ａ）は第２実施形態の寸法調整接続構造における寸法調整接続ユニットのバスダクトへの取り付け後の状態を示す平面図、（ｂ）はその正面図。
【図８】（ａ）は第３実施形態の寸法調整接続構造における寸法調整接続ユニットのバスダクトへの取り付け前の状態を示す平面説明図、（ｂ）はその正面説明図。
【図９】（ａ）は第３実施形態の寸法調整接続構造における寸法調整接続ユニットのバスダクトへの取り付け後の状態を示す平面図、（ｂ）はその正面図。
【図１０】（ａ）は吸収導体を吸収導体接続部の導電性接続部材と兼用する例を示す一部拡大平面図、（ｂ）はその一部拡大正面図。
【発明を実施するための形態】
【００２９】
〔第１実施形態の寸法調整接続構造〕
本発明の第１実施形態の寸法調整接続構造について図面に基づき説明する。第１実施形態の寸法調整接続構造は、後述する離間して設けられるバスダクト１００の導体１１０ａ・１１０ｂ間の間隔に合わせて寸法を調整可能であり、バスダクトの導体１１０ａ・１１０ｂ相互を電気的に接続するものである（図４及び図５参照）。
【００３０】
第１実施形態の寸法調整接続構造における寸法調整接続ユニット１０は、図１〜図３に示すように、バスダクト導体１１０ａ・１１０ｂ相互の接続方向を長手方向として、一方の導体１１０ａと電気的に接続される細長状の接続導体２０と、バスダクト導体１１０ａ・１１０ｂ相互の接続方向を長手方向として、他方の導体１１０ｂと電気的に接続される細長状の別の接続導体３０とを備え、接続導体２０と別の接続導体３０との重なり量を導体１１０ａ・１１０ｂ間の間隔に合わせて調整し、接続導体２０と別の接続導体３０を重ねて接触することにより電気的に接続するようになっている。本実施形態では３相のバスダクト１００に対応して、３相の接続導体２０と別の接続導体３０が設けられている。更に、寸法調整接続ユニット１０は、一方の導体１１０ａと接続導体２０を電気的に接続する第１の接続部４０と、他方の導体１１０ｂと別の接続導体３０を電気的に接続する第２の接続部５０と、第１の接続部４０と第２の接続部５０との間に位置し、接続導体２０と別の接続導体３０との電気的な接続を確保する第３の接続部６０とから構成される。
【００３１】
接続導体２０は、後述する別の接続導体３０の寸法を吸収する吸収導体であり、第１の接続部４０から第３の接続部６０まで延びる細長状で、１相の接続導体２０は同相の２枚の板状の接続導体板２１・２１で構成されている。接続導体板２１・２１は、厚さ方向に重ねられて配置され、その長手方向の一方側を第１の接続部４０に取り付けられ、第１の接続部４０側及びその近傍では面接触している。そして、第１の接続部４０と第３の接続部６０との間において、その面接触部分の他方の導体１１０ｂ側の端部に段部２２が形成され、接続導体板２１は段部２２を介して外側に屈曲しており、別の接続導体３０側に位置する、段部２２の他方の導体１１０ｂ側の端部から第３の接続部６０側の端部までは離間して配置されている。接続導体板２１・２１の離間部分の途中には段付き部２３が設けられ、段付き部２３から第３の接続部６０側の端部まで離間間隔が若干短くなっている。前記接続導体板２１・２１間の離間している間隔は、前記若干短い部分と段付き部２３を介してそれより若干長い部分を含め、別の接続導体３０の厚さに略対応しており、接続導体板２１・２１間に別の接続導体３０が介在するようになっている。尚、第１の接続部４０と第３の接続部６０との間に於ける接続導体板２１・２１間の離間距離は、被吸収導体である別の接続導体３０の厚さより大きく設定すると好適である。
【００３２】
接続導体板２１の第３の接続部６０に対応する位置には締着具挿通孔２４が穿設されており、第３の接続部６０のボルトなど締着具６４が挿通され、接続導体板２１・２１は第３の接続部６０に取り付けられる。また、接続導体板２１・２１の何れか一方又は双方には移動規制部であるピン２５が内側に突出して形成されている。本実施形態のピン２５は、後述する別の接続導体３０の長穴３１における長手方向の両辺近傍に対応して、２つで一対設けられ、後述する機能の他に、別の接続導体３０が接続導体２０の長手方向に沿って移動する際に、その移動方向が幅方向に寄らないように規制する機能をも有する。更に、絶縁被覆されずに接続導体板２１が露出している異相の接続導体２０・２０間には絶縁シート２６が配置され、異相の接続導体２０・２０間の絶縁が確保されるようになっている。
【００３３】
別の接続導体３０は、接続導体２０に寸法を吸収される被吸収導体であり、細長の平板状の導体板で、長手方向の一方側に寄った位置に長孔３１が穿設されている。別の接続導体３０は、その長手方向の一方側が接続導体２０の接続導体板２１・２１間に挿入して配置され、接続導体２０或いは接続導体板２１・２１と重なった状態で接触するようになっており、他方側が第２の接続部５０に取り付けられている。長孔３１は、第３の接続部６０に対応する位置に配設され、第３の接続部６０の締着具６４が長孔３１に挿通される。また、長孔３１内には、接続導体２０の移動規制部であるピン２５が挿通して配置されており、別の接続導体３０は、接続導体２０に対する伸長時又は収縮時に、ピン２５が長孔３１の長手方向における両端縁にそれぞれ当接して移動を規制されるようになっており、接続導体２０と別の接続導体３０との重なりの調整可能量を規制し、接続導体２０からの脱落が防止されるようになっている。
【００３４】
更に、ピン２５は、第３の接続部６０の締着具６４よりも接続導体２０側である第１の接続部４０側に位置して設けられ、別の接続導体３０の最大伸長時に長穴３１の接続導体２０側の端縁がピン２５に当接して第３の接続部６０の締着具６４に当接しないようになっており、第３の接続部６０のボルトなど締着具６４への長穴３１の端縁の当接を防止し、衝撃を与えないようになっている。また、別の接続導体３０の最大収縮時に、別の接続導体３０の接続導体２０側の端部が当接する接続導体２０の段部２２は、長穴３１の接続導体２０と反対側の端縁が第３の接続部６０のボルトなど締着具６４に当接しない収縮量に規制可能な位置に設けられている。これにより、別の接続導体３０の最大伸長時と最大収縮時の双方において、長穴３１の端縁が第３の接続部６０の締着具６４に当接して衝撃を与えることを防止し、第３の接続部６０の締着具６４の耐久性を高められるようになっている。尚、段部２２から接続導体板２１の他方側の先端までの領域は、接続導体２０と別の接続導体３０の重なり可能な部分となる。
【００３５】
第１の接続部４０は、一方の導体１１０ａと吸収導体である接続導体２０を電気的に接続する接続部であり、寸法調整接続ユニット１０の一方側に設けられ、バスダクト１００の導体１１０ａと接続導体２０を予め略定められた寸法で接続可能である。第１の接続部４０は、接続導体２０或いは同相の２枚の接続導体板２１・２１の面接触部分の両外側面に沿って各々設けられ、接続されるべきバスダクト１００の一方の導体１１０ａと接続導体２０とを電気的に接続する略板状の導電性接続部材４１・４１と、正面視で導電性接続部材４１と重なるように設けられ、異相間を絶縁する略板状の絶縁セパレータ４２と、導電性接続部材４１及び絶縁セパレータ４２の厚さ方向の両最外側に設けられる接続継ぎ板４３と、これらを仮締着或いは締着するボルトやナット等の締着具４４とから構成される。
【００３６】
接続継ぎ板４３は、外側の絶縁セパレータ４２と当接する略平板状の基部４３１と、基部４３１のバスダクト導体１１０ａが接続される側の端部を外方に屈曲して延設されてなる位置決め片４３２と、位置決め片４３２の外側端部をバスダクト導体１１０ａ側に屈曲して延設されてなる屈曲片４３３と、基部４３１の別の接続導体３０側の端部において、その幅方向両側を除く部分で外方に向かって折り返すように屈曲して形成されている断面視略Ｌ字形の折り返し部４３４とを有する。接続継ぎ板４３は、第３の接続部６０の他方側の端部よりも延設され、その折り返し部４３４は第３の接続部６０の他方側端部よりも外側に位置しており、換言すれば第３の接続部６０の接続継ぎ板と一体化或いは兼用されている。更に、第１の接続部４０と第３の接続部６０との間の幅方向両端には、基部４３１から外側に屈曲して延設されている補強片４３５が形成されている。また、導電性接続部材４１の何れか一方或いは双方には、導電性接続部材４１・４１の対向する方向に突出する係合ピン４５が形成されている。
【００３７】
第１の接続部４０には、一方側から後述するバスダクト１００の一方の導体１１０ａが導電性接続部材４１・４１間に挿入され、接続導体２０或いは接続導体板２１・２１が他方側から導電性接続部材４１・４１間に挿入され、一方の導体１１０ａと接続導体２０が導電性接続部材４１に沿うように配置される。そして、締着具４４を締め付けることにより、導電性接続部材４１・４１を一方の導体１１０ａと接続導体２０或いは接続導体板２１・２１の面接触部分に挟持するように締め付けて接触させ、導電性接続部材４１を介して一方の導体１１０ａと接続導体２０を電気的に接続する。この際、接続導体２０或いは接続導体板２１の係合ピン４５と対応する位置に形成されている係合穴に係合ピン４５を係合して、接続導体２０或いは接続導体板２１・２１と第１の接続部４０を取り付ける。この係合ピン４５の前記係合穴への係合により、接続導体２０の第１の接続部４０に対する移動を規制し、脱落を防止することができる。
【００３８】
第２の接続部５０は、他方の導体１１０ｂと被吸収導体である別の接続導体３０を電気的に接続する接続部であり、寸法調整接続ユニット１０の他方側に設けられ、バスダクト１００の導体１１０ｂと別の接続導体３０を予め略定められた寸法で接続可能である。第２の接続部５０は、平板状の別の接続導体３０の両外側面に沿って各々設けられ、接続されるべきバスダクト１００の他方の導体１１０ｂと別の接続導体３０とを電気的に接続する略板状の導電性接続部材５１・５１と、正面視で導電性接続部材５１と重なるように設けられ、異相間を絶縁する略板状の絶縁セパレータ５２と、導電性接続部材５１及び絶縁セパレータ５２の厚さ方向の両最外側に設けられる接続継ぎ板５３と、これらを仮締着或いは締着するボルトやナット等の締着具５４とから構成される。
【００３９】
接続継ぎ板５３は、外側の絶縁セパレータ５２と当接する略平板状の基部５３１と、基部５３１のバスダクト導体１１０ｂが接続される側の端部を外方に屈曲して延設されてなる位置決め片５３２と、位置決め片５３２の外側端部をバスダクト導体１１０ｂ側に屈曲して延設されてなる屈曲片５３３と、基部５３１の接続導体２０側の端部において、その幅方向両側を除く部分で外方に向かって折り返すように屈曲して形成されている断面視略Ｌ字形の折り返し部５３４とを有する。また、導電性接続部材５１の何れか一方或いは双方には、導電性接続部材５１・５１の対向する方向に突出する係合ピン５５が形成されている。
【００４０】
第２の接続部５０には、一方側から別の接続導体５０が導電性接続部材５１・５１間に挿入され、他方側から後述するバスダクト１００の他方の導体１１０ｂが導電性接続部材５１・５１間に挿入され、他方の導体１１０ｂと別の接続導体３０が導電性接続部材５１に沿うように配置される。そして、締着具５４を締め付けることにより、導電性接続部材５１・５１を他方の導体１１０ｂと別の接続導体３０に挟持するように締め付けて接触させ、導電性接続部材５１を介して他方の導体１１０ｂと別の接続導体３０を電気的に接続する。この際、別の接続導体３０の係合ピン５５と対応する位置に形成されている係合穴に係合ピン５５を係合して、別の接続導体３０と第２の接続部５０を取り付ける。この係合ピン５５の前記係合穴への係合により、別の接続導体３０の第２の接続部５０に対する移動を規制し、脱落を防止することができる。
【００４１】
第３の接続部６０は、重なり合う吸収導体である接続導体２０と被吸収導体である別の接続導体３０との電気的な接続を確保する接続部であり、第１の接続部４０と第２の接続部５０との間に設けられ、接続導体２０と別の接続導体３０とを寸法を調整しながら接続可能である。第３の接続部６０は、重なり合って接触する接続導体２０と別の接続導体３０との異相間を絶縁する略板状の絶縁セパレータ６２と、これらを仮締着或いは締着するボルトやナット等の締着具６４とから構成される。
【００４２】
第３の接続部６０の絶縁セパレータ６２・６２間には、一方側から接続導体２０が挿入され、接続導体板２１の締着具挿通孔２４にボルト等の締着具６４が挿通されていると共に、他方側から別の接続導体３０が挿入され、別の接続導体３０の長孔３１にボルト等の締着具６４が挿通され、接続導体２０及び別の接続導体３０が第３の接続部６０に取り付けられる。そして、締着具６４を締め付けることにより、重なり合う接続導体２０と別の接続導体３０を締め付けて接触、換言すれば接続導体板２１・２１間で別の接続導体３０を厚さ方向両側から挟持するようにして締め付けて接触させ、接続導体２０と別の接続導体３０との電気的な接続を確保する。
【００４３】
第１の接続部４０の接続継ぎ板４３と、第２の接続部５０の接続継ぎ板５３との間には、寸法調整接続ユニット１０の厚さ方向両側に接続部継ぎ板７０がそれぞれ設けられ、接続部継ぎ板７０は、第２の接続部５０と第３の接続部６０との間の少なくとも一部を被覆する継ぎ板に相当する。接続部継ぎ板７０は別の接続導体３０の厚さ方向両側に配置され、ボルト、ナット等の締着具７９で締着することにより、別の接続導体３０の厚さ方向両側と、それぞれの接続継ぎ板４３、５３の折り返し部４３４、５３４間の隙間を被覆し、第２の接続部５０と第３の接続部６０と非固定状態で設けられる。
【００４４】
接続部継ぎ板７０は、折り返し部４３４、５３４の外端面に当接する基板７１と、基板６１の幅方向両端部における折り返し部４３４、５３４の対応しない位置で、基板７１の厚さ方向で内方に屈曲して延設されている内方片７２と、内方片７２の厚さ方向端部において幅方向に外向きに屈曲して延設されている固定片７３と、固定片７３の幅方向端部において厚さ方向で内方に屈曲して延設されている係止片７４と、基板７１の略中央部に位置して内方に突出するリベット等の中央突出部７５と、基板７１の長さ方向両側で厚さ方向にずれて位置し、中央突出部７５を中心とする点対称位置で内方に突出するリベット等の側方突出部７６と、基板７１の長さ方向両端部に形成された凹状の切欠部７７とを有する。
【００４５】
固定片７３の略中央部には締着具挿通孔７８が形成されており、一方の接続部継ぎ板７０の外側から締着具７９のボルト等が挿入され、他方の接続部継ぎ板７０の外側のナット等でボルト等が締着される。締着具７９は基板７１の幅方向両端部近傍にそれぞれ設けられており、締着具７９のボルト等は第１の接続部４０の接続継ぎ板４３と第２の接続部５０の接続継ぎ板５３との間で、折り返し部４３４、５３４の外側の位置に配置される。締着された接続部継ぎ板７０は、その係止片７４により、それぞれの接続継ぎ板４３、５３の基部４３１、５３１の幅方向両端部を被覆することにより、接続部継ぎ板７０の幅方向への位置決めがなされると共に、接続継ぎ板４３、５３の位置決め係止も行っている。また、内方片７２の存在により、固定片７３が基板７１よりも厚さ方向内側に位置するように形成されていることから、後述するカバー部材８０により、接続部継ぎ板７０の係止片７４及び固定片７３の幅方向端部側を被覆可能になっている。
【００４６】
中央突出部７５には、接続導体２０と別の接続導体３０の寸法を最も短く調整した際に、第１の接続部４０における接続継ぎ板４３の折り返し部４３４と第２の接続部５０における接続継ぎ板５３の折り返し部５３４の向かい合う端部が当接し、側方突出部７６には、接続導体２０と別の接続導体３０の寸法を最も長く調整した際に、折り返し部４３４、５３４の前記向かい合う端部とは逆側の端部である外端面の端部が当接するようになっており、接続部継ぎ板７０が第２の接続部５０側と第３の接続部６０側の何れか一方に片寄ることを防止可能になっている。また切欠部７７は、第２の接続部５０の締着具５４の押え板或いはワッシャー等や、第３の接続部６０の締着具６４の押え板或いはワッシャー等に形状を合わせ、嵌められるようになっており、締着具５４、６４が干渉することや、締着具５４、６４の締着作業ができないこと等を防止可能である。
【００４７】
また、寸法調整接続ユニット１０で接続するバスダクト１００は、図４及び図５に示すように、略平板状の３線の導体１１０が絶縁物１１１で被覆され、これらの絶縁被覆された導体１１０を並設して重ね合わせ、幅方向両側にスペーサ１２０が介在して設けられ、これらの導体１１０及びスペーサ１２０が厚さ方向両側から断面視略コ字形の側板１３０で挟持されているものである。
【００４８】
側板１３０は、外側の導体１１０に当接する平板状の基部１３１と、基部１３１の幅方向両端から厚さ方向外側に屈曲して延設されている第１補強部１３２と、第１補強部１３２の端部を幅方向に向き合うように屈曲して延設されている第２補強部１３３とで構成され、バスダクト１００の長さ方向端部においては、第１補強部１３２、第２補強部１３３が設けられておらず、基部１３１のみが外側に屈曲して互いに離間したＬ字形の離間部１３４になっている。また、導体１１０には、長さ方向両端部において、絶縁物１１１が設けられておらず、側板１３０の外側への屈曲している離間部１３４に対応する位置で、段差部１１２を介して互いに拡開され、その先端は絶縁被覆から露出し、離間して略平行に延設されている。
【００４９】
そして、寸法調整接続ユニット１０で２本の対向配置されるバスダクト１００・１００を接続する場合には、バスダクト１００・１００が離間して設けられた状態で、この離間した箇所に寸法調整接続ユニット１０を配置し、寸法調整ユニット１０の長さを変更して寸法調整しながら、バスダクト１００・１００相互を寸法調整ユニット１０を介して電気的に接続する。
【００５０】
より詳細には、図４に示すように、所定距離離間してなるバスダクト１００・１００相互の間に寸法調整接続ユニット１０を配置し、バスダクト１００・１００相互の距離に合わせて寸法調整接続ユニット１０の長さを調整する。この長さの調整では、接続導体２０の接続導体板２１・２１間に介在する別の接続導体３０を長手方向に摺動或いは移動する。そして、第１の接続部４０の導電性接続部材４１・４１の間に一方のバスダクト１００の導体１００ａの端部を配置して、一方のバスダクト１００の側板１３０と第１の接続部４０の接続継ぎ板４３とをビス止めし、第２の接続部５０の導電性接続部材５１・５１の間に他方のバスダクト１００の導体１００ｂの端部を配置して、他方のバスダクト１００の側板１３０と第２の接続部５０の接続継ぎ板５３とをビス止めする。この際、それぞれのバスダクト１００の側板１３０の離間部１３４の端部を、第１の接続部４０や第２の接続部５０の接続継ぎ板４３、５３の位置決め片４３２、５３２に当接する位置に配置して固定する。
【００５１】
その後、各接続部４０、５０、６０の仮締着状態の締着具４４、５４、６４を本締着することにより、一方のバスダクト導体１００ａと導電性接続部材４１、導電性接続部材４１と接続導体２０、接続導体２０と別の接続導体３０、別の接続導体３０と導電性接続部材５１、導電性接続部材５１と他方のバスダクト導体１００ｂとを密接させ、一方のバスダクト導体１００ａ、第１の接続部４０の導電性接続部材４１、接続導体２０、別の接続導体３０、第２の接続部５０の導電性接続部材５１、他方のバスダクト導体１００ｂの電気的な接続が完了する。
【００５２】
その後、図５に示すように、寸法調整接続ユニット１０の幅方向両側の開放面に、断面コ字形で、長孔８２が穿設された第１カバー８１と、断面コ字形で、丸孔が穿設された第２カバー８３とを長孔８２や前記丸穴に挿通されるボルトやナット等の締着具８４で締結し、締着具８４が長孔８２内を長手方向に移動する分だけ伸縮可能なカバー部材８０を、寸法調整接続ユニット１０の長さに合わせて調整して配置し、バスダクト１００の第１補強部１３２にボルトやナットなどで固定することにより、寸法調整接続ユニット１０の取り付け及びバスダクト１００・１００の接続作業が完了する。尚、締着具８４により締結するための長孔８２及び丸孔は、接続継ぎ板４３の基部４３１間に存在する接続導体２０等の収納空間よりも外側に位置しており、異物の侵入を未然に防止している。
【００５３】
第１実施形態の寸法調整接続構造では、別の接続導体３０を第１の接続部４０と第３の接続部６０との間に介在する接続導体２０で吸収し、別の接続導体３０と接続導体２０の重なり量を導体１１０ａ・１１０ｂ間の間隔に合わせて調整する構成、或いは第１の接続部４０と第３の接続部６０との間の距離を固定し、この固定状態の部分の吸収導体である接続導体２０で被吸収導体である別の接続導体３０を吸収し、第２の接続部５０と第３の接続部６０との間の距離を調整可能とする構成により、第３の接続部６０と第２の接続部５０との間の距離を長く設定して長い距離の寸法調整をする等の処理で、寸法調整可能な範囲を広範囲にすることができる。従って、バスダクト幹線路のルート距離が長い場合でもバスダクト１００の施工誤差などを容易に吸収することが可能である等、多様な離間距離の導体１１０ａ・１１０ｂ間の接続に対応することができる。
【００５４】
また、第１の接続部４０と第２の接続部５０のバスダクト１００・１００が接続される側は、それぞれ通常のバスダクト１００・１００の接続と同様に定寸法の接続が可能で、例えば寸法に合わせたバスダクトなど個別性の高い特殊な仕様のバスダクトが不用であり、又、仮に寸法調整接続ユニット１０を使用しない場合にも通常の接続部を介してバスダクト１００・１００を接続することが可能であり、製造コスト、施工コストを低減することができると共に、施工の多様性に優れる。また、接続作業を重量の大きいバスダクト１００・１００相互で行う必要がなく、重いバスダクト１００を持たずに、寸法調整接続ユニット１０だけで接続及び寸法調整作業を行うことができるので、施工性に優れる。
【００５５】
また、移動規制部であるピン２５と長孔３１との当接により、接続導体２０と別の接続導体３０との重なりの調整可能量を規制し、長い寸法の調整を可能としつつ、別の接続導体３０の伸長時に接続導体２０と別の接続導体３０が外れて、別の接続導体が落下すること等を防止することができる。
【００５６】
また、第１の接続部４０と、第２の接続部５０と、第３の接続部６０を設けることにより、一方の導体１１０ａと接続導体２０、他方の導体１１０ｂと別の接続導体３０、接続導体２０と別の接続導体３０の確実な電気的接続を介して、一方の導体１１０ａと他方の導体１１０ｂを確実に電気的に接続することができる。また、これらの接続部４０、５０、６０を設けることにより、接続導体２０と別の接続導体３０を寸法調整可能な状態で安定して設置することができる。
【００５７】
また、第２の接続部５０と第３の接続部６０間の少なくとも一部を被覆する接続部継ぎ板７０を設け、接続部継ぎ板７０を接続部５０、６０と非固定状態とすることにより、接続部５０、６０間の所要領域を被覆して異物の侵入を防ぐことができると共に、接続部５０、６０間の伸縮に部材の取り外しや取り付け等無しでスムーズに対応することができる。また、接続部継ぎ板７０に突出部７５、７６を設けることにより、接続部継ぎ板７０が第２の接続部５０側と第３の接続部６０側の何れか一方に片寄ることを防止可能し、寸法調整時に接続部継ぎ板７０が外れたり、思わしく無い場所に移動して別の接続導体３０が見えてしまう等の不具合を防止できる。
【００５８】
また、第１の接続部４０と第３の接続部６０との間に於ける吸収導体である接続導体２０の接続導体板２１・２１間の離間距離を、被吸収導体である別の接続導体３０の厚さより大きく設定することにより、接続導体板２１・２１間における別の接続導体３０の移動或いは摺動が容易となり、寸法調整作業をよりスムーズに行うことができる。
【００５９】
〔第２実施形態の寸法調整接続構造〕
次に、本発明の第２実施形態の寸法調整接続構造について図面に基づき説明するが、特に言及しない箇所には第１実施形態と同様の構成を用いることができる。第２実施形態の寸法調整接続構造は、離間して設けられるバスダクト導体１１０ｃ、１１０ｄの間隔に合わせて寸法を調整可能であり、導体１１０ｃ、１１０ｄ相互を電気的に接続するものであり、図６及び図７に示すように、第１実施形態に於ける被吸収導体である別の接続導体３０と第２の接続部５０が設けられておらず、離間して設けられるバスダクトの導体１１０ｃ・１１０ｄの他方の導体１１０ｃを直接吸収導体である接続導体２０で吸収し、寸法調整してバスダクトの導体１１０ｃ・１１０ｄ相互を電気的に接続する。
【００６０】
第２実施形態に於ける寸法調整接続ユニット１０ａは、第１実施形態の寸法調整接続ユニット１０と同一構成である細長状の接続導体２０、第１の接続部４０と同一構成である第４の接続部４０ａ、第３の接続部６０と同一構成である第５の接続部６０ａとを備えるが、被吸収導体である別の接続導体３０、第２の接続部５０に相当する部位が設けられていない。第４の接続部４０ａは、バスダクト１００の一方の導体１１０ｃと接続導体２０に導電性接続部材４１を沿わせて締め付け、一方の導体１１０ｃと接続導体２０を電気的に接続する。第５の接続部５０ａは、後述の様に重なり合う他方の導体１１０ｄと接続導体２０とを締め付け、他方の導体１１０ｄと接続導体２０との接続を確保する。
【００６１】
その他に、第１実施形態と同一構成の接続部継ぎ板７０とカバー部材８０とを有し、接続部継ぎ板７０は、第４の接続部４０ａから第５の接続部６０ａに向かって延びる接続継ぎ板４３と、他方のバスダクト１００の側板１３０に設けられている離間部１３４の突出側面１３５との間の厚さ方向両側にそれぞれ設けられ、ボルト、ナット等の締着具７９で締着される。接続部継ぎ板７０は、接続継ぎ板４３の折り返し部４３４と後述する側板１３０の折り返し部１３６間の隙間を被覆し、第５の接続部６０ａと他方のバスダクト１００に非固定状態で設けられる。接続部継ぎ板７０は、第５の接続部６０ａとバスダクト１００の側板１３０との間の少なくとも一部を被覆する継ぎ板に相当する。
【００６２】
バスダクト１００の他方の導体１１０ｄの端部１１０ｄ１は、導体１１０ｃ、１１０ｄの接続方向を長手方向として細長く形成された略板状であり、導体端部１１０ｄ１の幅方向略中央に長手方向に延びる切欠凹部１１０ｄ２が形成されている。導体端部１１０ｄ１は接続導体２０の接続導体板２１・２１間に介挿され、導体端部１１０ｄ１が接続導体板２１・２１間を移動或いは摺動することにより、寸法を調整しての接続が可能になっている。切欠凹部１１０ｄ２は、前記導体端部１１０ｄ１の移動時或いは摺動時に第５の接続部６０ａの締着具６４のボルト等との干渉を回避する機能を有する。また、側板１３０の長手方向の端部に相当する離間部１３４の突出側面１３５もバスダクト長手方向に長く形成され、突出側面１３５の先端には接続継ぎ板４３の折り返し部４３４と同様の折り返し部１３６が形成されている。
【００６３】
第２実施形態の寸法調整接続構造でバスダクト１００・１００を接続する場合には、他方のバスダクト１００の他方の導体１１０ｄの長さ方向から寸法調整接続ユニット１０ａの第５の接続部６０ａを挿入し、切欠凹部１１０ｄ２が一対のピン２５・２５及び締着具６４の外側に配置されるようにして移動規制しながら、吸収導体である接続導体２０の接続導体板２１・２１間に導体端部１１０ｄ１を挿入し、バスダクト導体端部１１０ｄ１を吸収導体である接続導体２０で寸法吸収しながら重なり量を調整して寸法調整する。更に、一方のバスダクト１００の一方の導体１１０ｃを第４の接続部４０ａの導電性接続部材４１・４１間に挿入し、締着具４４、６４を締めることにより、他方の導体１１０ｄ、接続導体２０、導電性接続部材４１、一方の導体１１０ｃを接触させて電気的に接続する。その後、幅方向両側の開放部分に寸法調整したカバー部材８０をバスダクト１００の第１補強部１３２にボルト、ナットなどの締着具で固定することにより、バスダクト１００・１００の接続が完了する。
【００６４】
第２実施形態の寸法調整接続構造では、細長状の接続導体２０と細長状の他方の導体１１０ｄの端部１１０ｄ１との重なり量を導体１１０ｃ・１１０ｄ間の間隔に合わせて調整して接続する構成により、寸法調整可能な範囲を広範囲にすることができる。従って、バスダクト幹線路のルート距離が長い場合でもバスダクト１００の施工誤差などを容易に吸収することが可能である等、多様な離間距離の導体１１０ｃ・１１０ｄ間の接続に対応することができる。また、例えば個別的な寸法に合わせたバスダクトなど個別性の高い特殊な仕様のバスダクトが不用であり、低コストで接続を行えると共に、接続作業を重量の大きいバスダクト１００・１００相互で行う必要がなく、施工性に優れる。
【００６５】
また、第４の接続部４０ａと、第５の接続部６０ａを設けることにより、一方の導体１１０ｃと接続導体２０、接続導体２０と他方の導体１１０ｄの確実な電気的接続を介して、一方の導体１１０ｃと他方の導体１１０ｄを確実に電気的に接続することができる。また、これらの接続部４０ａ、６０ａを設けることにより、接続導体２０を寸法調整可能な状態で安定して設置することができる。また、２つの接続部４０ａ、６０ａだけを用いることにより、第１実施形態に比べて小型化が可能となり、取り扱いが容易となる。
【００６６】
また、第５の接続部６０ａと他方のバスダクト１００間の少なくとも一部を被覆する接続部継ぎ板７０を設け、接続部継ぎ板７０を第５の接続部６０ａと他方のバスダクト１００と非固定状態とすることにより、第５の接続部６０ａと他方のバスダクト１００間の所要領域を被覆して異物の侵入を防ぐことができると共に、第５の接続部６０ａと他方のバスダクト１００間の伸縮に部材の取り外しや取り付け等無しでスムーズに対応することができる。また、接続部継ぎ板７０の突出部７５、７６により、接続部継ぎ板７０が第５の接続部６０ａ側と他方のバスダクト１００側の何れか一方に片寄ることを防止可能し、寸法調整時に接続部継ぎ板７０が外れたり、思わしく無い場所に移動して他方のバスダクト１００の導体端部１１０ｄ１が見えてしまう等の不具合を防止できる。
【００６７】
また、接続導体２０の接続導体板２１・２１間の離間距離を、他方のバスダクト１００の導体１１０ｄ或いは導体端部１１０ｄ１の厚さより大きく設定することにより、接続導体板２１・２１間における導体１１０ｄ或いは導体端部１１０ｄ１の移動或いは摺動が容易となり、寸法調整作業をよりスムーズに行うことができる。その他に、第１実施形態と同一構成により、第１実施形態の対応する効果と同一或いは類似の効果を奏する。
【００６８】
〔第３実施形態の寸法調整接続構造〕
次に、本発明の第３実施形態の寸法調整接続構造について図面に基づき説明するが、特に言及しない箇所には第１実施形態と同様の構成を用いることができる。第３実施形態の寸法調整接続構造は、離間して設けられるバスダクト導体１１０ｅ、１１０ｆの間隔に合わせて寸法を調整可能であり、導体１１０ｅ、１１０ｆ相互を電気的に接続するものであり、図８及び図９に示すように、寸法調整接続ユニット１０ｂには、接続継ぎ板４３以外の第１の接続部４０に相当する部位が設けられておらず、吸収導体である接続導体２０の端部をホルダー９０で支持し、一方のバスダクト１００の導体１１０ｅと接続導体２０とを第１の接続部４０と同一構成で本実施形態の第１の接続部に相当する接続部４０ｂで接続する構成である。尚、接続部４０ｂには、第１の接続部４０と同一構成以外にも適用可能な通常の接続部を用いることが可能である。
【００６９】
ホルダー９０は、接続導体２０の密接して重なっている接続導体板２１・２１を側方から把持する構成であり、接続導体２０の長さ方向で一方のバスダクト１００側の端部近傍で、且つ接続導体２０の幅方向端部近傍の両側に設けられ、接続継ぎ板４３相互に貫通するボルト、ナット等の締着具で固定され、吸収導体である接続導体２０が支持される。ホルダー９０を固定するボルト、ナット等は接続導体２０の幅方向両端縁よりも外側に配置されており、接続導体２０自体に穴あけ加工は不要となっている。
【００７０】
接続継ぎ板４３の一方の導体１１０ｅを有するバスダクト１００側である長さ方向の端部は、一方のバスダクト１００の側板１３０の端部と同様に外方へ拡開しており、一方のバスダクト１００の導体１１０ｅに設けられる接続部４０ｂを介して、接続導体２０と導体１１０ｅとを電気的に接続するようになっている。その他の第２の接続部５０、第３の接続部６０、接続部継ぎ板７０、カバー部材８０の構成等は第１実施形態と同一である。
【００７１】
第３実施形態の寸法調整接続ユニット１０ｂによりバスダクト１００・１００を接続する場合には、一方のバスダクト１００に予め接続部４０を仮取り付けし、接続導体２０の一方のバスダクト１００側に突出する端部を接続部４０ｂの導電性接続部材４１を介して一方のバスダクト１００の導体１１０ｅに接続すると共に、別の接続導体３０の接続導体２０に対する重なり量を調整して、第２の接続部５０の導電性接続部材５１に他方のバスダクト１００の導体１１０ｆに接続する。そして、締着具４４、５４、６４を締め付けることにより、一方の導体１１０ｅ、接続部４０ｂの導電性接続部材４１、接続導体２０、別の接続導体３０、導電性接続部材５１、他方の導体１１０ｆを密接させて確実に電気的に接続する。その後、幅方向両側の開放部分に寸法調整したカバー部材８０をバスダクト１００の第１補強部１３２にボルト、ナットなどの締着具で固定することにより、バスダクト１００・１００の接続が完了する。
【００７２】
第３実施形態の寸法調整接続構造は、寸法調整接続ユニット１０ｂの第２の接続部５０と第３の接続部６０との距離を調整するだけで、広範囲な寸法調整が可能である。また、寸法調整接続ユニット１０ｂが第１の接続部４０を有しないことから、寸法調整接続ユニット１０ｂの軽量化が可能となり、取り扱いが容易となる。また、一方のバスダクト１００に接続部が標準的に取り付けられている場合でも対応することが可能となり、高い利便性を有する。その他に、第１実施形態と同一構成により、第１実施形態の対応する効果と同一或いは類似の効果を奏する。
【００７３】
〔実施形態の変形例等〕
本発明の寸法調整接続構造は、上記実施形態に限定されるものではなく、各実施形態や本明細書記載例の部分的な構成を組み合わせて特定したもの、各実施形態の部分的な構成を変更して特定したもの、各実施形態の構成に本明細書記載例の部分的な構成を追加して特定したもの、各実施形態の部分的な構成を削除して特定したものを包含し、更に、バスダクト導体以外の導体相互を接続するものも包含し、又、以下のような拡張及び変形の例示も包含するものである。
【００７４】
本発明の寸法調整接続構造で接続されるバスダクトは上記実施形態のバスダクト１００に限定されるものではない。例えば上記実施形態では絶縁物１１１で絶縁被覆してなる導体１１０を密接して並設してなる所謂密着絶縁型バスダクトの場合について説明したが、導体相互間を所定距離離間し、異相間を空気で絶縁する空気絶縁型バスダクトの接続に用いてもよい。また、本発明の適用は、導体相互を接続する際に、バスダクト導体相互を突き合わせ、導電性接続部材を沿わせることにより電気的に接続する所謂突き合わせ接続のバスダクトの接続に限定されず、導体相互を重ね合わせて接続する所謂重ね合わせ接続の場合に用いることが可能である。また、３線式のバスダクト１００の接続の場合に限定されず、２線以下、４線以上のバスダクトの接続にも適用可能である。また、バスダクトのハウジング形状なども上記実施形態に限定されず適宜である。
【００７５】
また、第１実施形態等の如く吸収導体である接続導体２０は、接続導体板２１・２１を密接するように重ね合わせて第１の接続部４０側に配置する構成に限定されず、例えば図１０に示すように、接続導体板２１・２１を第１の接続部４０に対応する位置で離間するように配置し、接続導体板２１・２１が導電性接続部材４１・４１の役割を果たし、接続導体板２１・２１間に一方の導体１１０ａを挿入して接続する構成としてもよい。前記構成により、第３の接続部６０と第１の接続部４０との間の強度が増すと共に、接続導体２０と導電性接続部材４１の接続部分を減らすことができ、熱の発生を抑制することができる。更に、図１０に示すように、第１の接続部４０に対応する位置において、接続導体２０の接続導体板２１・２１相互間に間座用導体９１を配置し、接続導体板２１・２１間の間隔を維持可能とすると好適であり、前記間座用導体９１で締着具４４の締め付けによる接続導体板２１等の変形を防止することができる。
【００７６】
また、第１の接続部４０と第３の接続部６０、或いは第４の接続部４０ａと第５の接続部６０ａの間の距離は調整不能であることを考慮して、それぞれも絶縁セパレータ４２と６２を一体的に形成することも可能であり、前記構成により、組立が容易になると共に、それぞれの接続部４０と６０或いは接続部４０ａと５０ａ間の強度を増すことができる。また、強度的には低下するものの、第１の接続部４０と第３の接続部６０、或いは第４の接続部４０ａと第５の接続部６０ａに設けられている接続側板４３をそれぞれの接続部４０、６０或いは接続部４０ａ、６０ａに対応して別体で形成することも可能である。
【００７７】
また、第１、第３実施形態の別の接続導体３０には長孔３１を形成する構成としたが、第２実施形態のバスダクト導体１１０ｄの切欠凹部１１０ｄ２と同様に、長孔３１に代えて別の接続導体３０に、切欠凹部を設ける構成としてもよい。前記切欠凹部は、一方の導体１１０側における別の接続導体３０の端部から切欠かれる細長状とすると好適である。また、接続部継ぎ板７０の突出部７５、７６を設けない構成とすることも可能であり、例えば中央突出部７５を設けずに、接続部継ぎ板７０を締め付けているボルトやナット等の締着具７９により位置決め効果を発揮させるようにしてもよい。また、第１の接続部４０、第２の接続部５０、第３の接続部６０、第４の接続部４０ａ、第５の接続部６０ａ、接続導体２０、別の接続導体３０等の形状、大きさ、個数、又これらの構成部材の形状、大きさ、個数などは適宜である。また、長孔を接続導体２０に設け、移動規制部であるピンを別の接続導体に設ける構成とすることも可能である。
【産業上の利用可能性】
【００７８】
本発明は、例えばバスダクトの接続に利用することができる。
【符号の説明】
【００７９】
１０、１０ａ、１０ｂ…寸法調整接続ユニット  ２０…接続導体  ２１…接続導体板  ２２…段部  ２３…段付き部  ２４…締着具挿通孔  ２５…ピン  ２６…絶縁シート  ３０…別の接続導体  ３１…長孔  ４０…第１の接続部  ４１…導電性接続部材  ４２…絶縁セパレータ  ４３…接続継ぎ板  ４３１…基部  ４３２…位置決め片  ４３３…屈曲片  ４３４…折り返し部  ４３５…補強片  ４４…締着具  ４５…係合ピン  ４０ａ…第４の接続部  ４０ｂ…接続部  ５０…第２の接続部  ５１…導電性接続部材  ５２…絶縁セパレータ  ５３…接続継ぎ板  ５３１…基部  ５３２…位置決め片  ５３３…屈曲片  ５３４…折り返し部  ５４…締着具  ５５…係合ピン  ６０…第３の接続部  ６２…絶縁セパレータ  ６４…締着具  ６０ａ…第５の接続部  ７０…接続部継ぎ板  ７１…基板  ７２…内方片  ７３…固定片  ７４…係止片  ７５…中央突出部  ７６…側方突出部  ７７…切欠部  ７８…締着具挿通孔  ７９…締着具  ８０…カバー部材  ８１…第１カバー  ８２…長孔  ８３…第２カバー  ８４…締着具  ９０…ホルダー  ９１…間座用導体  １００…バスダクト  １１０、１１０ａ、１１０ｂ、１１０ｃ、１１０ｄ…導体  １１０ｄ１…導体端部  １１０ｄ２…切欠凹部  １１１…絶縁物  １１２…段差部  １２０…スペーサ  １３０…側板  １３１…基部  １３２…第１補強部  １３３…第２補強部  １３４…離間部  １３５…突出側面  １３６…折り返し部
【図１】
2010252565.tif 000003
【図２】
2010252565.tif 000004
【図３】
2010252565.tif 000005
【図４】
2010252565.tif 000006
【図５】
2010252565.tif 000007
【図６】
2010252565.tif 000008
【図７】
2010252565.tif 000009
【図８】
2010252565.tif 000010
【図９】
2010252565.tif 000011
【図１０】
2010252565.tif 000012